【手続補正書】
【提出日】平成15年10月6日(2003.10.6)
【手続補正１】
【補正対象書類名】明細書
【補正対象項目名】特許請求の範囲
【補正方法】変更
【補正の内容】
【特許請求の範囲】
【請求項１】
第１の画像データのフィールドを所定の挿入パターンで繰り返し挿入してフレーム数を多くした第２の画像データから、繰り返して挿入されたフィールド（繰り返しフィールド）を除去し、圧縮処理する画像データ圧縮装置であって、
前記第２の画像データに含まれる前記繰り返しフィールドを検出する繰り返しフィールド検出手段と、
前記第２の画像データから、検出した前記繰り返しフィールドを、所定の条件で部分ごとに除去する繰り返しフィールド除去手段と、
前記繰り返しフィールドを除去した前記第２の画像データを、フレーム単位またはフィールド単位で圧縮する画像データ圧縮手段と、
前記画像データ圧縮手段を制御して、前記第２の画像データの前記繰り返しフィールドを除去した部分をフレーム単位で圧縮させ、前記第２の画像データの前記繰り返しフィールドを除去しない部分を、フィールド単位およびフレーム単位のいずれか発生データ量が少ない方で圧縮させる圧縮制御手段と
を有する画像データ圧縮装置。
【請求項２】
前記圧縮制御手段は、
検出した前記繰り返しフィールドと、検出した前記繰り返しフィールドに対応する前記第２の画像データのフィールドとの間の差分値に基づいて、前記繰り返しフィールドの検出が確実であるか否かを判定する確実性判定手段と、
前記画像データ圧縮手段を制御して、前記繰り返しフィールドの検出が確実である場合には、前記繰り返しフィールドを除去した前記第２の画像データをフレーム単位で圧縮させ、前記繰り返しフィールドの検出が確実でない場合には、所定の期間、前記第２の画像データを、フィールド単位およびフレーム単位のいずれか発生データ量が少ない方で圧縮させる制御手段と
を有し、
前記繰り返しフィールド除去手段は、前記繰り返しフィールドの検出が確実である部分からのみ、検出した前記繰り返しフィールドを前記第２の画像データから除去して、除去した前記繰り返しフィールドに対応するフィールドに、前記繰り返しフィールドを除去したことを示すデータを付加する
請求項１に記載の画像データ圧縮装置。
【請求項３】
前記繰り返しフィールド検出手段は、
前記第２の画像データの対応するフィールドの間の差分値に基づいて、第１の閾値を算出する第１の閾値算出手段と、
算出した前記第２の画像データの対応するフィールドの間の差分値が、算出した前記第１の閾値以下である場合に、対応する前記第２の画像データのフィールドが前記繰り返しフィールドであると判定し、前記繰り返しフィールドを検出する第１の差分値判定手段と
を有する請求項１に記載の画像データ圧縮装置。
【請求項４】
前記圧縮制御手段の確実性判定手段は、
前記第２の画像データの対応するフィールドの間の差分値に基づいて、前記第１の閾値よりも小さい値の第２の閾値を算出する第２の閾値算出手段と、
検出した前記繰り返しフィールドと、検出した前記繰り返しフィールドに対応する前記第２の画像データのフィールドとの間の差分値が、算出した前記第２の閾値以下である場合に、対応する前記繰り返しフィールドの検出を確実であると判定する第２の差分値判定手段と
を有する請求項３に記載の画像データ圧縮装置。
【請求項５】
第１の画像データのフィールドを所定の挿入パターンで繰り返し挿入してフレーム数を多くした第２の画像データから、繰り返して挿入されたフィールド（繰り返しフィールド）を除去処理する画像データ処理装置であって、
前記第２の画像データに含まれる前記繰り返しフィールドを検出する繰り返しフィールド検出手段と、
検出した前記繰り返しフィールドと、検出した前記繰り返しフィールドに対応する前記第２の画像データのフィールドとの間の差分値に基づいて、前記繰り返しフィールドを確実に検出したか否かを判定する確実性判定手段と、
前記第２の画像データから、確実に検出したと判定した前記繰り返しフィールドのみを除去する除去して、前記繰り返しフィールドに対応するフィールドに、前記繰り返しフィールドを除去したことを示すデータを付加する繰り返しフィールド除去手段と
を有する画像データ処理装置。
【請求項６】
前記繰り返しフィールド検出手段は、
前記第２の画像データの対応するフィールド間の差分値を算出するフィールド間差分値算出手段と、
算出した前記第２の画像データの対応するフィールドの間の差分値に基づいて、前記繰り返しフィールドを検出する検出手段と
を有する請求項５に記載の画像データ処理装置。
【請求項７】
前記繰り返しフィールド検出手段の検出手段は、
前記第２の画像データの対応するフィールドの間の差分値に基づいて、第１の閾値を算出する第１の閾値算出手段と、
算出した前記第２の画像データの対応するフィールドの間の差分値が、算出した前記第１の閾値以下である場合に、対応する前記第２の画像データのフィールドが前記繰り返しフィールドであると判定し、前記繰り返しフィールドを検出する第１の差分値判定手段と
を有する請求項６に記載の画像データ処理装置。
【請求項８】
前記確実性判定手段は、
前記第２の画像データの対応するフィールドの間の差分値に基づいて、前記第１の閾値よりも小さい値の第２の閾値を算出する第２の閾値算出手段と、
検出した前記繰り返しフィールドと、検出した前記繰り返しフィールドに対応する前記第２の画像データのフィールドとの間の差分値が、算出した前記第２の閾値以下である場合に、対応する前記繰り返しフィールドの検出を確実であると判定する第２の差分値判定手段と
を有する請求項７に記載の画像データ処理装置。
【請求項９】
第１の画像データのフィールドを所定の挿入パターンで繰り返し挿入してフレーム数を多くした第２の画像データから、繰り返して挿入されたフィールド（繰り返しフィールド）を除去し、圧縮処理する画像データ圧縮方法であって、
前記第２の画像データに含まれる前記繰り返しフィールドを検出し、
前記第２の画像データから、検出した前記繰り返しフィールドを、所定の条件で部分ごとに除去し、
前記第２の画像データの前記繰り返しフィールドを除去した部分をフレーム単位で圧縮し、
前記第２の画像データの前記繰り返しフィールドを除去しない部分を、フィールド単位およびフレーム単位のいずれか発生データ量が少ない方で圧縮する
画像データ圧縮方法。
【請求項１０】
検出した前記繰り返しフィールドと、検出した前記繰り返しフィールドに対応する前記第２の画像データのフィールドとの間の差分値に基づいて、前記繰り返しフィールドの検出が確実であるか否かを判定し、
前記繰り返しフィールドの検出が確実である部分からのみ、検出した前記繰り返しフィールドを前記第２の画像データから除去して、除去した前記繰り返しフィールドに対応するフィールドに、前記繰り返しフィールドを除去したことを示すデータを付加し、
前記繰り返しフィールドの検出が確実である場合には、前記繰り返しフィールドを除去した前記第２の画像データをフレーム単位で圧縮し、
前記繰り返しフィールドの検出が確実でない場合には、所定の期間、前記第２の画像データを、フィールド単位およびフレーム単位のいずれか発生データ量が少ない方で圧縮する
請求項９に記載の画像データ圧縮方法。
【請求項１１】
前記第２の画像データの対応するフィールドの間の差分値に基づいて、第１の閾値を算出し、
算出した前記第２の画像データの対応するフィールドの間の差分値が、算出した前記第１の閾値以下である場合に、対応する前記第２の画像データのフィールドが前記繰り返しフィールドであると判定し、前記繰り返しフィールドを検出する
請求項１０に記載の画像データ圧縮方法。
【請求項１２】
前記第２の画像データの対応するフィールドの間の差分値に基づいて、前記第１の閾値よりも小さい値の第２の閾値を算出し、
検出した前記繰り返しフィールドと、検出した前記繰り返しフィールドに対応する前記第２の画像データのフィールドとの間の差分値が、算出した前記第２の閾値以下である場合に、対応する前記繰り返しフィールドの検出を確実であると判定する
請求項１１に記載の画像データ圧縮方法。
【請求項１３】
第１の画像データのフィールドを所定の挿入パターンで繰り返し挿入してフレーム数を多くした第２の画像データから、繰り返して挿入されたフィールド（繰り返しフィールド）を除去処理する画像データ処理方法であって、
前記第２の画像データに含まれる前記繰り返しフィールドを検出し、
検出した前記繰り返しフィールドと、検出した前記繰り返しフィールドに対応する前記第２の画像データのフィールドとの間の差分値に基づいて、前記繰り返しフィールドを確実に検出したか否かを判定し、
前記第２の画像データから、確実に検出したと判定した前記繰り返しフィールドのみを除去して、除去した前記繰り返しフィールドに対応するフィールドに、前記繰り返しフィールドを除去したことを示すデータを付加する
画像データ処理方法。
【請求項１４】
前記第２の画像データの対応するフィールド間の差分値を算出し、
算出した前記第２の画像データの対応するフィールドの間の差分値に基づいて、前記繰り返しフィールドを検出する
請求項１３に記載の画像データ処理方法。
【請求項１５】
前記第２の画像データの対応するフィールドの間の差分値に基づいて、第１の閾値を算出し、
算出した前記第２の画像データの対応するフィールドの間の差分値が、算出した前記第１の閾値以下である場合に、対応する前記第２の画像データのフィールドが前記繰り返しフィールドであると判定し、前記繰り返しフィールドを検出する
請求項１４に記載の画像データ処理方法。
【請求項１６】
前記第２の画像データの対応するフィールドの間の差分値に基づいて、前記第１の閾値よりも小さい値の第２の閾値を算出し、
検出した前記繰り返しフィールドと、検出した前記繰り返しフィールドに対応する前記第２の画像データのフィールドとの間の差分値が、算出した前記第２の閾値以下である場合に、対応する前記繰り返しフィールドの検出を確実であると判定する
請求項１５に記載の画像データ処理方法。
【請求項１７】
所定シーケンスで繰り返しフィールドが挿入されているかどうかを検出し、該検出結果に基づいて画像データを処理する画像データ処理装置において、
前記画像データに含まれている繰り返しフィールドを検出する検出手段と、
前記画像データに含まれている繰り返しフィールドを除去する除去手段と、
前記画像データを符号化する符号化手段と
前記除去手段及び前記符号化手段を制御する制御手段と
有し、
前記制御手段は、
前記検出手段の検出結果に基づいて前記画像データに含まれる繰り返しフィールドを除去するように前記除去手段を制御し、かつ繰り返しフィールドが除去された画像データをフレーム単位で符号化するように前記符号化手段を制御する
画像データ処理装置。
【請求項１８】
前記制御手段は、
前記検出手段の検出結果に基づいて繰り返しフィールドの挿入の規則性を検出し、該検出結果に基づいて前記画像データに含まれる繰り返しフィールドを除去するかどうかを判断して前記除去手段を制御し、
繰り返しフィールドが除去された画像データをフレーム単位で符号化し、繰り返しフィールドが除去されていない画像データをフィールド単位及びフレーム単位のいずれか発生データ量が少ない方で符号化するように前記符号化手段を制御する
請求項１７記載の画像データ処理装置。
【請求項１９】
所定シーケンスで繰り返しフィールドが挿入されているかどうかを検出し、その検出結果に基づいて画像データを処理する画像データ処理方法において、
前記画像データに含まれている繰り返しフィールドを検出し、
前記検出手段の検出結果に基づいて前記画像データに含まれる繰り返しフィールドを除去し、
繰り返しフィールドが除去された画像データをフレーム単位で符号化する
画像データ処理方法。
【請求項２０】
前記検出手段の検出結果に基づいて繰り返しフィールドの挿入の規則性を検出し、
その検出結果に基づいて前記画像データに含まれる繰り返しフィールドを除去するかどうかを判断し、
繰り返しフィールドが除去された画像データをフレーム単位で符号化し、
繰り返しフィールドが除去されていない画像データをフィールド単位及びフレーム単位のいずれか発生データ量が少ない方で符号化する
請求項１９記載の画像データ処理方法。
【手続補正２】
【補正対象書類名】明細書
【補正対象項目名】００３６
【補正方法】変更
【補正の内容】
【００３６】
好適には、前記第２の画像データの対応するフィールドの間の差分値に基づいて、前記第１の閾値よりも小さい値の第２の閾値を算出し、検出した前記繰り返しフィールドと、検出した前記繰り返しフィールドに対応する前記第２の画像データのフィールドとの間の差分値が、算出した前記第２の閾値以下である場合に、対応する前記繰り返しフィールドの検出を確実であると判定する。
また、本発明に係る画像データ処理装置は、所定シーケンスで繰り返しフィールドが挿入されているかどうかを検出し、該検出結果に基づいて画像データを処理する画像データ処理装置であって、前記画像データに含まれている繰り返しフィールドを検出する検出手段と、前記画像データに含まれている繰り返しフィールドを除去する除去手段と、前記画像データを符号化する符号化手段と前記除去手段及び前記符号化手段を制御する制御手段と有し、前記制御手段は、前記検出手段の検出結果に基づいて前記画像データに含まれる繰り返しフィールドを除去するように前記除去手段を制御し、かつ繰り返しフィールドが除去された画像データをフレーム単位で符号化するように前記符号化手段を制御する。
好適には、前記制御手段は、前記検出手段の検出結果に基づいて繰り返しフィールドの挿入の規則性を検出し、該検出結果に基づいて前記画像データに含まれる繰り返しフィールドを除去するかどうかを判断して前記除去手段を制御し、繰り返しフィールドが除去された画像データをフレーム単位で符号化し、繰り返しフィールドが除去されていない画像データをフィールド単位及びフレーム単位のいずれか発生データ量が少ない方で符号化するように前記符号化手段を制御する。
また、本発明に係る画像データ処理方法は、所定シーケンスで繰り返しフィールドが挿入されているかどうかを検出し、その検出結果に基づいて画像データを処理する画像データ処理方法であって、前記画像データに含まれている繰り返しフィールドを検出し、前記検出手段の検出結果に基づいて前記画像データに含まれる繰り返しフィールドを除去し、繰り返しフィールドが除去された画像データをフレーム単位で符号化する。
好適には、前記検出手段の検出結果に基づいて繰り返しフィールドの挿入の規則性を検出し、その検出結果に基づいて前記画像データに含まれる繰り返しフィールドを除去するかどうかを判断し、繰り返しフィールドが除去された画像データをフレーム単位で符号化し、繰り返しフィールドが除去されていない画像データをフィールド単位及びフレーム単位のいずれか発生データ量が少ない方で符号化する。